(57)【要約】【課題】  他人によるデジタルカメラの不正使用及び他人による撮影画像の参照を確実に防ぐことができるデジタルカメラを提供する。【解決手段】  デジタルカメラ１０は、撮影者の人体に関する人体情報、例えば指紋情報を検出する人体情報検出部７０を備えている。登録メモリ７６には、デジタルカメラ１０の所有者の人体情報が予め登録される。撮影時には、人体情報検出部７０により人体情報が検出され、登録メモリ７６に登録された登録人体情報と照合される。そして、検出人体情報と登録人体情報とが一致した場合には撮影が許可され、一致しない場合には撮影が禁止される。撮影が許可された場合、暗号化・復号化部７２は、鍵情報記憶部７４に記憶された所定の暗号鍵を用いて撮影画像の画像データを暗号化してメモリカード４２に記録する。【選択図】          図１
2006086795.tif 000002
【特許請求の範囲】
【請求項１】
撮影時に人体情報を検出する人体情報検出手段と、
検出された検出人体情報と予め登録された登録人体情報とを照合する照合手段と、
前記検出人体情報と前記登録人体情報とが一致しない場合に、撮影を禁止する禁止手段と、
前記検出人体情報と前記登録人体情報とが一致する場合に、撮影画像の画像データを所定の暗号鍵で暗号化する暗号化手段と、
を備えたデジタルカメラ。
【請求項２】
前記人体情報は、指紋情報、網膜情報、及び顔画像の少なくとも一つであることを特徴とする請求項１記載のデジタルカメラ。
【請求項３】
前記検出人体情報と前記登録人体情報とが一致しない場合に、警告する警告手段をさらに備えたことを特徴とする請求項１又は請求項２記載のデジタルカメラ。
【請求項４】
前記人体情報検出手段により検出された人体情報に基づいて前記暗号鍵及び当該暗号鍵に対応した復号鍵を生成する生成手段をさらに備えたことを特徴とする請求項１乃至請求項３の何れか１項に記載のデジタルカメラ。
【請求項５】
前記暗号鍵に対応した復号鍵に基づいて前記画像データを復号する復号手段をさらに備えたことを特徴とする請求項１乃至請求項４の何れか１項に記載のデジタルカメラ。
【発明の詳細な説明】
【技術分野】
【０００１】
本発明は、デジタルカメラに係り、特に、撮影画像の画像データを暗号化することが可能なデジタルカメラに関する。
【背景技術】
【０００２】
近年では、撮影画像の記録手段として従来の銀塩カメラからデジタルカメラへと移行しつつある。デジタルカメラで撮影された画像はデジタル情報であるため、その編集・加工が容易であると共に、デジタルカメラやパーソナルコンピュータ等を用いて容易に再生が可能である。また、撮影画像を他人に見せたくない場合もある。このため、他人による撮影画像の改ざんや再生を防ぐために従来より様々な提案が成されている。
【０００３】
特許文献１には、撮影画像のセキュリティを向上させるため、撮影画像を暗号化するデジタルカメラが記載されている。
【０００４】
また、特許文献２には、他人の使用を防ぐためにデジタルカメラ及びデジタルカメラで撮影された画像を再生するためのパソコンにハードウェア鍵を設けた技術が記載されている。
【０００５】
また、特許文献３には、他人の不正使用を防ぐために、デジタルカメラのシャッターボタンに指紋を検出する検出手段を設け、検出された指紋情報と登録された指紋情報とを照合することにより使用者を特定する技術が記載されている。
【０００６】
また、特許文献４には、撮影者の識別記号を画像データと共にメモリに記憶し、撮影者を特定する技術が記載されている。
【０００７】
また、特許文献５には、撮影画像を再生する際にパスワードを入力させ、予め記憶されたパスワードと一致した場合に撮影画像を再生する技術が記載されています。
【特許文献１】特開２０００−２９９８４７号公報
【特許文献２】特開２００１−３２０６６８号公報
【特許文献３】特開２００２−５７９２８号公報
【特許文献４】特開平８−３１５１０６号公報
【特許文献５】特開２０００−１２５２３７号公報
【発明の開示】
【発明が解決しようとする課題】
【０００８】
しかしながら、上記従来技術は何れも、他人によるデジタルカメラの不正使用及び他人による撮影画像の参照を厳密に防ぐことはできない。
【０００９】
本発明は上記事実を考慮して成されたものであり、他人によるデジタルカメラの不正使用及び他人による撮影画像の参照を確実に防ぐことができるデジタルカメラを得ることを目的とする。
【課題を解決するための手段】
【００１０】
上記目的を達成するために、請求項１記載の発明は、撮影時に人体情報を検出する人体情報検出手段と、検出された検出人体情報と予め登録された登録人体情報とを照合する照合手段と、前記検出人体情報と前記登録人体情報とが一致しない場合に、撮影を禁止する禁止手段と、前記検出人体情報と前記登録人体情報とが一致する場合に、撮影画像の画像データを所定の暗号鍵で暗号化する暗号化手段と、を備えたことを特徴とする。
【００１１】
この発明によれば、人体情報検出手段は、撮影時に人体情報を検出する。なお、請求項２に記載したように、前記人体情報は、指紋情報、網膜情報、及び顔画像の少なくとも一つである構成とすることができる。この場合、人体情報検出手段は、撮影者の指や目、顔の少なくとも一部を撮影する撮影手段で構成することができる。
【００１２】
照合手段は、人体情報検出手段により検出された検出人体情報と予めメモリ等に登録された登録人体情報とを照合する。
【００１３】
そして、検出人体情報と登録人体情報とが一致しない場合には、禁止手段によって撮影が禁止される。一方、検出人体情報と登録人体情報とが一致する場合には、暗号化手段によって撮影画像の画像データが所定の暗号鍵で暗号化される。
【００１４】
このように、指紋等の人体情報を登録しておき、撮影時に人体情報を検出して登録人体情報と照合し、一致した場合にのみ撮影を許可すると共に撮影画像の画像データを暗号化するため、他人によるデジタルカメラの不正使用及び他人による撮影画像の不正参照を確実に防ぐことができる。
【００１５】
なお、請求項３に記載したように、前記検出人体情報と前記登録人体情報とが一致しない場合に、警告する警告手段をさらに備えた構成としてもよい。これにより、デジタルカメラを使用できないことを撮影者に容易に認識させることができる。
【００１６】
また、請求項４に記載したように、前記人体情報検出手段により検出された人体情報に基づいて前記暗号鍵及び当該暗号鍵に対応した復号鍵を生成する生成手段をさらに備えた構成としてもよい。これにより、事前に暗号鍵が復号鍵を予め登録しておく必要がなく、利便性を向上させることができる。
【００１７】
また、請求項５に記載したように、前記暗号鍵に対応した復号鍵に基づいて前記画像データを復号する復号手段をさらに備えた構成としてもよい。この場合、撮影時と同様に人体情報を検出し、検出人体情報と登録人体情報とを照合し、両者が一致した場合にのみ復号を許可することが好ましい。これにより、撮影画像をデジタルカメラで再生することが可能となる。
【００１８】
また、撮影時と同様に人体情報を検出し、検出人体情報と登録人体情報とを照合し、両者が一致した場合にのみ復号鍵を外部記録媒体に記録するように構成してもよい。これにより、外部装置において撮影画像を再生することが可能となる。
【発明の効果】
【００１９】
本発明によれば、他人によるデジタルカメラの不正使用及び他人による撮影画像の参照を確実に防ぐことができる、という効果を有する。
【発明を実施するための最良の形態】
【００２０】
以下、本発明の実施形態について説明する。
【００２１】
図１には本発明の実施の形態に係るデジタルカメラのブロック図を示した。このデジタルカメラ１０の撮影光学系１２は撮影レンズ１４及び絞り１６を含む。撮影レンズ１４は１枚又は複数枚のレンズで構成され、単一の焦点距離（固定焦点）のレンズでも良いし、ズームレンズや望遠／広角の二焦点切替式レンズの如く焦点距離可変のものでもよい。
【００２２】
撮影光学系１２を介してＣＣＤ１８の受光面に結像された被写体像は、各センサで入射光量に応じた量の信号電荷に変換される。このようにして蓄積された信号電荷は、ＣＣＤ駆動回路２０から加えられるＣＣＤ駆動パルスによって読み出され、信号電荷に応じた電圧信号（アナログ画像信号）として順次ＣＣＤ１８から出力される。
【００２３】
ＣＣＤ１８には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１８は、シャッターゲートパルスによって各センサに蓄積される電荷の蓄積時間（シャッタースピード）を制御する、いわゆる電子シャッター機能を有している。
【００２４】
ＣＣＤ１８から読み出された信号は、ＣＤＳ回路２２において相関二重サンプリング（ＣＤＳ）処理されるとともに、Ｒ，Ｇ，Ｂの各色信号に色分離処理され、各色信号の信号レベルの調整（プリホワイトバランス処理）が行われる。
【００２５】
これら所定のアナログ信号処理を経た画像信号は、Ａ／Ｄ変換器２４に加えられ、該Ａ／Ｄ変換器２４によりＲ，Ｇ，Ｂのデジタル信号に変換された後、メモリ２６に格納される。
【００２６】
タイミング信号発生回路（ＴＧ）２８は、ＣＰＵ３０からのコマンドに応じてＣＣＤ駆動回路２０、ＣＤＳ回路２２及びＡ／Ｄ変換器２４に対して適宜のタイミング信号を与えており、各回路はタイミング信号発生回路２８から加えられるタイミング信号により同期して駆動されるようになっている。
【００２７】
ＣＰＵ３０は、デジタルカメラ１０の各回路を統括制御する制御部であり、バス３２を介してメモリ２６、ゲイン調整回路３４、ガンマ補正回路３６、輝度・色差信号処理回路（ＹＣ処理回路という。）３８、圧縮伸張回路４０、メモリカード４２のカードインターフェース４４、表示部４６を駆動する表示用ドライバー４８、人体情報検出部７０、暗号化・復号化部７２、及び鍵情報記憶部７４等と接続されている。
【００２８】
ＣＰＵ３０は操作部５０からの入力信号に基づいて対応する回路ブロックを制御するとともに、撮影レンズ１４のズーミング動作や自動焦点調節（ＡＦ）動作の制御、並びに自動露出調節（ＡＥ）の制御等を行う。
【００２９】
操作部５０には、画像の記録開始の指示を与えるシャッターボタン、カメラのモード選択手段、ズーム操作手段、その他の各種の入力手段が含まれる。これら入力手段は、スイッチボタン、ダイヤル、スライド式ツマミなど種々の形態があり、タッチパネルや液晶モニタ表示部の画面上において設定メニューや選択項目を表示してカーソルで所望の項目を選択する態様もある。操作部５０はカメラ本体に配設されていてもよいし、リモコン送信機としてカメラ本体と分離した構成にすることも可能である。
【００３０】
ＣＰＵ３０は、ＣＣＤ１８から出力される画像信号に基づいて、焦点評価演算やＡＥ演算などの各種演算を行い、その演算に基づいて、撮影レンズ１４及び絞り１６の駆動手段（例えば、ＡＦモータやアイリスモータ等）５２を制御してフォーカスレンズを合焦位置に移動させるとともに、絞り１６を適正絞り値に設定する。
【００３１】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体輝度（撮影ＥＶ）を求め、この撮影ＥＶに基づいて絞り値とシャッタースピードを決定し、駆動手段５２を介して絞り１６を駆動するとともに、決定したシャッタースピードとなるように電子シャッターによってＣＣＤ１８の電荷の蓄積時間を制御する。したがって、デジタルカメラ１０の撮影レンズ１４を被写体に向けるだけで、最適な露出調整が行われるとともに、ピント合わせが自動的に行われる。
【００３２】
撮影記録時においては、シャッターボタンの「半押し」時に上述した測光動作を複数回繰り返して正確な撮影ＥＶを求め、この撮影ＥＶに基づいて撮影時の絞り値とシャッタースピードを最終的に決定する。そして、シャッターボタンの「全押し」時に前記最終的に決定した絞り値になるように絞り１６を駆動し、また、決定したシャッタースピードとなるように電子シャッターによって電荷の蓄積時間を制御する。なお、ＡＥ、ＡＦはＣＣＤ１８から取得される画像信号に基づいて制御する方法の他、周知の測光センサやＡＦ投光／受光センサからなる測距センサ等を用いてもよい。
【００３３】
また、このデジタルカメラ１０はストロボ発光装置５４と、調光用の受光素子５６を有し、操作部５０に含まれるストロボモード設定ボタンの操作に応じて、低輝度時にストロボ発光装置５４を自動的に発光させる「低輝度自動発光モード」、被写体輝度にかかわらずストロボ発光装置５４を発光させる「強制発光モード」、又はストロボ発光装置５４の発光を禁止させる「発光禁止モード」等に設定される。
【００３４】
ＣＰＵ３０はユーザーが選択したストロボモードに応じて、ストロボ発光装置５４のメインコンデンサの充電制御や、発光管（例えば、キセノン管）への放電（発光）タイミングを制御するとともに、受光素子５６からの測定結果に基づいて発光停止の制御を行う。受光素子５６はストロボの発光によって照らされる被写体からの反射光を受光し、受光量に応じた電気信号に変換する。受光素子５６の信号は図示せぬ積分回路により積算され、積算受光量が所定の適正受光量に達した時にストロボの発光が停止される。
【００３５】
Ａ／Ｄ変換器２４から出力されたデータは前記メモリ２６に格納されるとともに、積算回路６０に加えられる。積算回路６０は、撮影画面を複数のブロック（例えば、８×８の６４個のブロック）に分割し、各ブロック毎に受入したＧ信号の積算演算を行う。なお、Ｒ、Ｇ、Ｂのデータから輝度信号（Ｙ信号）を生成して、輝度信号の積算演算を行ってもよい。また、積算回路６０はＡＥ演算回路で兼用することもできる。積算回路６０で得られた積算値の情報（演算結果）はＣＰＵ３０に入力される。
【００３６】
ＣＰＵ３０は積算回路６０からの情報に基づき、所定のアルゴリズムに従って撮影画面の評価値Ｅを算出し、求めた評価値Ｅを用いてゲイン調整回路３４におけるゲイン値（増幅率）を決定する。ＣＰＵ３０は決定したゲイン値に従ってゲイン調整回路３４におけるゲイン量を制御する。
【００３７】
メモリ２６に記憶されたＲ、Ｇ、Ｂの画像データはゲイン調整回路３４に送られ、ここで増幅処理される。増幅処理された画像データは、ガンマ補正回路３６において、ガンマ補正処理が施された後、ＹＣ処理回路３８へ送られ、ＲＧＢデータから輝度信号（Ｙ信号）及び色差信号（Ｃr,Ｃb信号）に変換される。
【００３８】
ＹＣ処理回路３８において生成された輝度・色差信号（ＹＣ信号と略記する）は、メモリ２６に書き戻される。メモリ２６に記憶されたＹＣ信号は表示用ドライバー４８に供給され、所定方式の信号（例えば、ＮＴＳＣ方式のカラー複合映像信号）に変換されて表示部４６に出力される。表示部４６には液晶ディスプレイその他のカラー表示可能な表示装置が用いられる。なお、表示部４６はＹＣ信号入力対応のタイプのものを適用してもよいし、ＲＧＢ信号入力タイプのものを適用してもよく、表示装置に対応したドライバーが適用される。
【００３９】
ＣＣＤ１８から出力される画像信号によって画像データが定期的に書き換えられ、その画像データから生成される映像信号が表示部４６に供給されることにより、ＣＣＤ１８が捉える画像がリアルタイムに動画像（ライブ画像）として、又はリアルタイムではないが、ほぼ連続した画像として表示部４６に表示される。
【００４０】
表示部４６は電子ビューファインダーとして利用でき、撮影者は表示部４６の表示画像又は図示せぬ光学ファインダーによって撮影画角を確認することができる。シャッターボタンの押下操作など所定の記録指示（撮影開始指示）操作に呼応して、記録用の画像データの取り込みが開始される。
【００４１】
撮影者が操作部５０から撮影記録の指示を入力すると、ＣＰＵ３０は必要に応じて圧縮伸張回路４０にコマンドを送り、これにより圧縮伸張回路４０はメモリ２６上のＹＣデータをＪＰＥＧその他の所定の形式に従って圧縮する。圧縮された画像データはカードインターフェース４４を介してメモリカード４２に記録される。
【００４２】
非圧縮の画像データを記録するモード（非圧縮モード）が選択されている場合には、前記圧縮伸張回路４０による圧縮処理を実施せずに、非圧縮のまま画像データがメモリカード４２に記録される。
【００４３】
本実施の形態のデジタルカメラ１０は、画像データを保存する手段としてメモリカード４２が用いられている。具体的には、例えばスマートメディア等の記録メディアが適用される。記録メディアの形態は上記のものに限らず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００４４】
また、再生モード時にはメモリカード４２から読み出された画像データが圧縮伸張回路４０によって伸張処理され、表示用ドライバー４８を介して表示部４６に出力される。
【００４５】
人体情報検出部７０は、撮影者の人体に関する人体情報を検出するものであり、例えば指紋、網膜、顔の少なくとも一部の形状等について検出する。
【００４６】
例えば人体情報検出部７０として指紋情報を検出する指紋検出装置を適用した場合には、以下のように人体情報検出部７０は以下のように構成することができる。すなわち、例えばシャッターボタンを透光性を有する部材で構成し、このシャッターボタンに触れた撮影者の指に内部から光を照射するための発光部、シャッターボタンに触れた撮影者の指に照射された光の反射光を結像させるレンズ、レンズを透過した反射光を受光するＣＣＤやＣＭＯＳセンサ等の撮像素子、及び撮像素子からの画像信号をＡ／Ｄ変換するＡ／Ｄ変換部等を含んで構成することができる。これにより、撮影者の指紋情報を取得することができる。
【００４７】
また、人体情報検出部７０として網膜情報を検出する網膜検出装置を適用した場合には、デジタルカメラ１０の光学ファインダを覗いた撮影者の目に内部から光を照射するための発光部を設け、あとは前記指紋検出装置と同様に構成することができる。
【００４８】
また、人体情報検出部７０として顔の形状を検出する顔検出装置を適用した場合には、例えばデジタルカメラ１０の背面に撮影者の顔を撮影するための小型の顔検出カメラを設ける構成とする。この顔検出カメラも、前記指紋検出装置及び網膜検出装置と同様の構成とすることができる。
【００４９】
暗号化・復号化部７２は、撮影画像の画像データを所定の暗号鍵を用いて暗号化する暗号化機能と、所定の復号鍵を用いて画像データを復号化する復号化機能を有する。暗号化の方式としては、例えばＤＥＳ（Ｄａｔａ  Ｅｎｃｒｙｐｔｉｏｎ  Ｓｔａｎｄａｒｄ）等の共通鍵暗号方式、ＲＳＡ（Ｒ．Ｒｉｖｅｓｔ、Ａ．Ｓｈａｍｉｒ、Ｌ．Ａｄｅｌｍａｎ）等の公開鍵暗号方式を用いることができる。
【００５０】
共通鍵暗号方式の場合は、暗号鍵と復号鍵とは同一の鍵となり、公開鍵暗号方式では、暗号化又は復号化する公開鍵と復号化又は暗号化する秘密鍵とは別々の鍵となる。これらの暗号鍵及び復号鍵は、ユーザーが予め生成した鍵を用いてもよいが、登録人体情報から生成した鍵を用いるようにしてもよい。
【００５１】
鍵情報記憶部７４は、暗号化に使用する暗号鍵、暗号鍵に対応した復号鍵の情報が記憶される。
【００５２】
登録メモリ７６は、デジタルカメラ１０の所有者の人体情報を記憶するためのメモリである。撮影時には、登録メモリ７６に登録された登録人体情報と、撮影時に検出された検出人体情報とが照合され、一致した場合には撮影が許可され、一致しない場合には、撮影が禁止される。
【００５３】
なお、暗号鍵及び復号鍵を登録人体情報から生成する場合には、人体情報を登録する際に暗号鍵及び復号鍵を生成して鍵情報記憶部７４に記憶しておく。一方、ユーザーが予め生成した鍵を用いる場合には、予めデジタルカメラ１０に鍵を登録しておく必要があるが、この鍵を登録する際も、人体情報を検出し、検出した人体情報と登録人体情報とを照合し、一致した場合にのみ鍵の登録を許可するようにする。これにより、他人による不正な鍵の登録を防ぐことができる。
【００５４】
次に、本実施の形態の作用として、ＣＰＵ３０で実行される制御ルーチンについて、図２、３に示すフローチャートを参照して説明する。
【００５５】
まず、撮影モードにおいてＣＰＵ３０で実行される制御ルーチンについて図２を参照して説明する。なお、図２に示す制御ルーチンは、被写体を撮影する撮影モードの場合に電源が投入された場合、電源が投入された状態で他のモードから撮影モードに切り替えられた場合に実行される。
【００５６】
なお、登録メモリ７６に予めデジタルカメラ１０の所有者の人体情報が登録されているものとする。人体情報の登録は、例えばデジタルカメラ１０の買い上げ時に１回だけ可能にし、その後禁止することにより、他者による人体情報の登録を禁止することができる。
【００５７】
まず、ステップ１００において、シャッターボタンが半押しされたか否かが判断される。シャッターボタンが半押しされていない場合には、シャッターボタンが半押しされるまで待機し、シャッターボタンが半押しされた場合には、ステップ１０２へ移行する。
【００５８】
ステップ１０２では、人体情報の検出処理を行う。すなわち、人体情報検出部７０が指紋検出装置の場合には、シャッターボタンに触れた撮影者の指の撮影を人体情報検出部７０に指示し、撮影された画像を検出人体情報として取り込む。
【００５９】
次のステップ１０４では、登録メモリ７６に登録された登録人体情報と、人体情報検出部７０により検出された検出人体情報とを照合し、両者が一致するか否かを判断する。そして、両者が一致した場合にはステップ１０６へ移行し、両者が一致しない場合には、ステップ１０８へ移行する。
【００６０】
ステップ１０６では、ＡＥ制御及びＡＦ制御を行う。すなわち、前述したように、求めた撮影ＥＶに基づいて絞り値とシャッタースピードを決定し、駆動手段５２を介して絞り１６を駆動するとともに、決定したシャッタースピードとなるように電子シャッターによってＣＣＤ１８の電荷の蓄積時間を制御する。これにより、最適な露出調整が行われる。
【００６１】
また、ＣＰＵ３０は、ＣＣＤ１８から出力される画像信号に基づいて、焦点評価演算やＡＥ演算などの各種演算を行い、その演算に基づいて、撮影レンズ１４及び絞り１６の駆動手段５２を制御してフォーカスレンズを合焦位置に移動させるとともに、絞り１６を適正絞り値に設定する。なお、ＡＦ制御は、例えばＧ信号の高周波成分が最大になるようにフォーカスレンズを移動させるコントラストＡＦ方式により行われる。
【００６２】
一方、ステップ１０８では、警告処理を行う。具体的には、例えば、デジタルカメラ１０の使用を許可された者でないことを警告する警告メッセージを表示部４６に表示させる。
【００６３】
ステップ１１０では、シャッターボタンが全押しされたか否かが判断される。そして、シャッターボタンが全押しされた場合には、ステップ１１２へ移行し、シャッターボタンが全押しされていない場合には、ステップ１１４へ移行する。
【００６４】
ステップ１１４では、シャッターボタンの半押しが解除されたか否かが判断される。そして、シャッターボタンの半押しが解除されていない場合には、ステップ１１０へ移行して、上記と同様にシャッターボタンが全押しされたか否かを判断する。一方、シャッターボタンの半押しが解除された場合には、ステップ１００へ移行して、シャッターボタンが再び半押しされるまで待機する。
【００６５】
ステップ１１２では、撮像処理が行われ、各種処理が施された画像データが一時的にメモリ２６に記憶される。
【００６６】
ステップ１１４では、暗号化処理を行う。すなわち、鍵情報記憶部７４に記憶された暗号鍵を用いてメモリ２６に一時的に記憶された画像データを暗号化し、メモリ２６に書き戻す。
【００６７】
ステップ１１８では、メモリ２６に記憶された暗号化された画像データをカードインターフェース４４を介してメモリカード４２に記録する。
【００６８】
このように、本実施形態では、指紋等の人体情報を登録しておき、シャッターボタン半押し時等の撮影時に人体情報を検出して登録人体情報と照合し、一致した場合にのみ撮影を許可すると共に撮影画像の画像データを暗号化するため、他人によるデジタルカメラの不正使用及び撮影画像の不正参照を確実に防ぐことができる。
【００６９】
次に、再生モードにおいてＣＰＵ３０で実行される制御ルーチンについて図３を参照して説明する。なお、図３に示す制御ルーチンは、メモリカード４２に記録された画像データを再生する再生モードの場合に電源が投入された場合、電源が投入された状態で他のモードから再生モードに切り替えられた場合に実行される。
【００７０】
まず、ステップ２００において、ユーザーの操作により再生すべき画像データが選択されたか否かが判断される。画像データが選択されていない場合には、画像データが選択されるまで待機し、画像データが選択された場合には、ステップ２０２へ移行する。
【００７１】
ステップ２０２では、人体情報の検出処理を行う。具体的には、人体情報検出部７０が指紋検出装置の場合には、シャッターボタンに指を触れて半押しするようユーザーに指示するべく、表示部４６にその旨を表示させる。そして、シャッターボタンが半押しされた場合には、指の撮影を人体情報検出部７０に指示し、撮影された画像を検出人体情報として取り込む。
【００７２】
次のステップ２０４では、登録メモリ７６に登録された登録人体情報と、人体情報検出部７０により検出された検出人体情報とを照合し、両者が一致するか否かを判断する。そして、両者が一致した場合にはステップ２０６へ移行し、両者が一致しない場合には、ステップ２０８へ移行する。
【００７３】
ステップ２０６では、画像再生処理を行う。すなわち、選択された画像データをメモリカード４２から読み出し、鍵情報記憶部７４に記憶された復号鍵を用いて復号し、表示部４６に表示させる。
【００７４】
一方、ステップ２０８では、警告処理を行う。具体的には、例えば、デジタルカメラ１０の使用を許可された者でないことを警告する警告メッセージを表示部４６に表示させる。
【００７５】
このように、本実施形態では、指紋等の人体情報を登録しておき、画像再生時に人体情報を検出して登録人体情報と照合し、一致した場合にのみ画像の再生を許可するため、他人による撮影画像の不正な参照を確実に防ぐことができる。
【００７６】
なお、パーソナルコンピュータ等の外部装置において撮影画像を参照する場合には、再生モードの場合と同様に人体情報の照合を行い、検出人体情報と登録人体情報とが一致した場合に、復号鍵をメモリカード４２に記録するようにすればよい。これにより、パーソナルコンピュータ等の外部装置においても、メモリカード４２に記録された復号鍵を用いて撮影画像を再生することが可能となる。
【図面の簡単な説明】
【００７７】
【図１】デジタルカメラの概略構成を示すブロック図である。
【図２】撮影モードにおいてＣＰＵで実行される制御ルーチンのフローチャートである。
【図３】再生モードにおいてＣＰＵで実行される制御ルーチンのフローチャートである。
【符号の説明】
【００７８】
１０      デジタルカメラ
１２      撮影光学系
１８      ＣＣＤ
３０      ＣＰＵ（照合手段、禁止手段、警告手段、生成手段）
４２      メモリカード
４６      表示部（警告手段）
５０      操作部
５４      ストロボ発光装置
７０      人体情報検出部（人体情報検出手段）
７２      暗号化・復号化部（暗号化手段、復号化手段）
７４      鍵情報記憶部
７６      登録メモリ
【図１】
2006086795.tif 000003
【図２】
2006086795.tif 000004
【図３】
2006086795.tif 000005